【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  外部からのエネルギを電気エネルギに変換して発電電圧を出力する発電手段と、
複数のスイッチング素子からなり、前記発電手段の発電電圧を出力する一対の発電端子へそれぞれ接続可能な一対の出力端子を有するスイッチ手段と、
該スイッチ手段の出力電圧を計測するスイッチ出力計測手段、または前記発電手段の発電電圧を計測する発電電圧計測手段と前記スイッチ出力計測手段との両方の計測手段と、
前記スイッチ手段の前記一対の出力端子に接続され、該スイッチ手段の出力電圧が印加されてその電力により動作する負荷手段と、
前記スイッチ出力計測手段の計測結果または前記発電電圧計測手段と前記スイッチ出力計測手段との両方の計測結果に応じて、前記スイッチ手段の複数のスイッチング素子を制御して、前記発電手段の前記一対の発電端子と前記スイッチ手段の前記一対の出力端子との接続関係を制御する制御手段と
を備えたことを特徴とする発電システム。
【請求項２】  前記スイッチ出力計測手段または前記発電電圧計測手段と前記スイッチ出力計測手段との両方の計測手段が、その計測動作を所定の周期で間欠的に行なうことを特徴とする請求項１に記載の発電システム。
【請求項３】  前記制御手段が、前記スイッチ出力計測手段または前記発電電圧計測手段と前記スイッチ出力計測手段との両方の計測手段の計測動作時に、前記発電手段と前記負荷手段とを切り離すかあるいは前記負荷手段が低負荷状態となるように、前記スイッチ手段を制御する手段を有することを特徴とする請求項１に記載の発電システム。
【請求項４】  前記制御手段が、前記負荷手段が前記発電手段による電力供給を不要とするときは、前記発電手段の前記一対の発電端子間を短絡するように前記スイッチ手段を制御する手段を有することを特徴とする請求項１に記載の発電システム。
【請求項５】  前記制御手段が動作停止状態にあるときおよび該動作停止状態から前記発電手段が発電を開始するときには、前記発電手段の発電電圧を前記負荷手段を介さずに前記制御手段に印加する初期化手段を有することを特徴とする請求項１に記載の発電システム。
【請求項６】  前記スイッチ手段の前記一対の出力端子間に、前記負荷手段への給電方向と逆方向の電圧成分を短絡する短絡手段を備えていることを特徴とする請求項１に記載の発電システム。
【請求項７】  前記制御手段が、前記スイッチ出力計測手段によって計測された前記スイッチ手段の出力電圧が所定の値を下回っているときに、該スイッチ手段が前記発電手段の発電電圧の極性を反転して前記負荷手段に印加するように、前記発電手段の前記一対の発電端子と前記スイッチ手段の前記一対の出力端子との接続関係を制御するか、または前記発電手段と前記負荷手段とを切り離すように前記スイッチ手段を制御する手段を有することを特徴とする請求項１に記載の発電システム。
【請求項８】  前記制御手段が、前記スイッチ出力計測手段または前記発電電圧計測手段と前記スイッチ出力計測手段との両方の計測手段の計測動作時には、前記発電手段の前記一対の発電端子の一方の電位を前記スイッチ出力計測手段または前記発電電圧計測手段の接地電位と等しくし、他方の発電端子の電圧を前記発電電圧計測手段と前記スイッチ出力計測手段との一方もしくは両方の計測手段が計測するように、前記スイッチ手段を制御する手段を有することを特徴とする請求項１に記載の発電システム。
【請求項９】  前記制御手段が、前記スイッチ出力計測手段の計測結果により、該スイッチ出力計測手段の前記計測動作の周期を変えるように制御する手段を有することを特徴とする請求項２に記載の発電システム。
【請求項１０】  前記制御手段が、前記発電電圧計測手段によって計測された前記発電手段の発電電圧が所定の値以上のときと、該所定の値を下回るときとで、前記発電手段の前記一対の発電端子と前記スイッチ手段の前記一対の出力端子との接続関係を逆転するように、前記スイッチ手段を制御する手段を有することを特徴とする請求項１に記載の発電システム。
【手続補正２】
【補正対象書類名】明細書
【補正対象項目名】００１４
【補正方法】変更
【補正の内容】
【００１４】
【課題を解決するための手段】
この発明による発電システムは、上記目的を達成するため、外部からのエネルギを電気エネルギに変換して発電電圧を出力する発電手段と、複数のスイッチング素子からなり、その発電手段の発電電圧を出力する一対の発電端子へそれぞれ接続可能な一対の出力端子を有するスイッチ手段と、該スイッチ手段の出力電圧を計測するスイッチ出力計測手段、または上記発電手段の発電電圧を計測する発電電圧計測手段と上記スイッチ出力計測手段との両方の計測手段と、上記スイッチ手段の一対の出力端子に接続され該スイッチ手段の出力電圧が印加されてその電力により動作する負荷手段と、上記スイッチ出力計測手段の計測結果または前記発電電圧計測手段と前記スイッチ出力計測手段との両方の計測結果に応じて、上記スイッチ手段の複数のスイッチング素子を制御して、上記発電手段の一対の発電端子と上記スイッチ手段の一対の出力端子との接続関係を制御する制御手段とを備えたものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
上記発電システムにおいて、上記スイッチ出力計測手段または前記発電電圧計測手段と前記スイッチ出力計測手段との両方の計測手が、その計測動作を所定の周期で間欠的に行なうようにするとよい。
【手続補正５】
【補正対象書類名】明細書
【補正対象項目名】００１７
【補正方法】変更
【補正の内容】
【００１７】
また、上記制御手段が、上記スイッチ出力計測手段または前記発電電圧計測手段と前記スイッチ出力計測手段との両方の計測手段の計測動作時に、上記発電手段と上記負荷手段とを切り離すかあるいは上記負荷手段が低負荷状態となるように、上記スイッチ手段を制御する手段を有するとよい。
【手続補正６】
【補正対象書類名】明細書
【補正対象項目名】００１８
【補正方法】変更
【補正の内容】
【００１８】
上記負荷手段が、上記発電手段による電力供給を不要とするときは、上記発電手段の一対の発電端子間を短絡するように上記スイッチ手段を制御する手段を有するようにしてもよい。
【手続補正７】
【補正対象書類名】明細書
【補正対象項目名】００１９
【補正方法】変更
【補正の内容】
【００１９】
さらに、上記制御手段が動作停止状態にあるときおよび該動作停止状態から上記発電手段が発電を開始するときには、上記発電手段の発電電圧を上記負荷手段を介さずに上記制御手段に印加する初期化手段を有するとよい。
【手続補正８】
【補正対象書類名】明細書
【補正対象項目名】００２１
【補正方法】変更
【補正の内容】
【００２１】
上記制御手段が、上記スイッチ手段の出力電圧が所定の値を下回っているときに、該スイッチ手段が上記発電手段の発電電圧の極性を反転して上記負荷手段に印加するように、上記発電手段の一対の発電端子と上記スイッチ手段の一対の出力端子との接続関係を制御する手段、または前記発電手段と前記負荷手段とを切り離すように制御する手段を有するようにするとよい。
【手続補正９】
【補正対象書類名】明細書
【補正対象項目名】００２２
【補正方法】変更
【補正の内容】
【００２２】
さらに、上記制御手段が、上記スイッチ出力計測手段または前記発電電圧計測手段と前記スイッチ出力計測手段との両方の計測手段の計測動作時には、上記発電手段の一対の発電端子の一方の電位を上記スイッチ出力計測手段または前記発電電圧計測手段の接地電位と等しくし、他方の発電端子の電圧を前記発電電圧計測手段と上記スイッチ出力計測手段との一方もしくは両方の計測手段が計測するように、上記スイッチ手段を制御する手段を有するようにするとよい。
【手続補正１０】
【補正対象書類名】明細書
【補正対象項目名】００２３
【補正方法】変更
【補正の内容】
【００２３】
またさらに、上記制御手段が、上記スイッチ出力計測手段の計測結果により、該スイッチ出力計測手段の計測動作の周期を変えるように制御する手段を有するとよい。
【手続補正１１】
【補正対象書類名】明細書
【補正対象項目名】００２４
【補正方法】変更
【補正の内容】
【００２４】
また、上記制御手段が、上記発電電圧計測手段によって計測された発電手段の発電電圧が所定の値以上のときと、該所定の値を下回るときとで、上記発電手段の一対の発電端子とスイッチ手段の一対の出力端子との接続関係を逆転するように、上記スイッチ手段を制御する手段を有するようにしてもよい。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】